(57)【特許請求の範囲】
【請求項１】
電子機器本体とオプション部品または取扱説明書とを収納し、ダンボール箱に挿入して梱包する電子機器の梱包材において、
前記梱包材は、
前記梱包材の中央に位置する第１の直方体クッション材と、
前記第１の直方体クッション材とヒンジを介して連なり、前記第１の直方体クッション材の上に折り畳まれる第２の直方体クッション材と、
前記第１の直方体クッション材に対して前記第２の直方体クッション材と対向する位置で前記第１の直方体クッション材とヒンジを介して連なり、前記第２の直方体クッション材が前記第１の直方体クッション材の上に折り畳まれた後に、前記第１の直方体クッション材および折り畳まれた前記第２の直方体クッション材の上に折り畳まれる第３の直方体クッション材と、
を備え、
前記第１の直方体クッション材は、
前記第１の直方体クッション材の上部に第１のオプション部品または取扱説明書を配置する第１の凹部を備え、
前記第２の直方体クッション材は、
前記第１の直方体クッション材の上に折り畳まれたときに上部となる位置に電子機器本体を配置する第２の凹部を備え、
前記オプション部品または取扱説明書が前記第１の凹部に配置され、前記電子機器本体が前記第２の凹部に配置された状態で前記第１乃至第３の直方体クッション材がダンボール箱内に挿入されることを特徴とする電子機器の梱包材。
【請求項２】
前記第３の直方体クッション材は、
前記第１の直方体クッション材および折り畳まれた前記第２の直方体クッション材の上に折り畳まれたときに上部となる位置に第２のオプション部品または取扱説明書を配置する第３の凹部を備えることを特徴とする請求項１に記載の電子機器の梱包材。
【発明の詳細な説明】
【技術分野】
【０００１】
この発明は電子機器の梱包材に係わり、特に、ダンボール箱と製品との間に介装されるクッション材に関する。
【背景技術】
【０００２】
従来の携帯用通信機の梱包材の例を図４〜図６により説明する。図４に示すＰＰ（ポリプレンシート）製の梱包材１０は凹部１１ａが形成された直方体クッション材１１と凹部１２ａが形成された直方体クッション材１２がヒンジ１３で一体となるように連結されて形成されている。
【０００３】
図４に直線矢印で示すように直方体クッション材１１の凹部１１ａに携帯用通信機本体７を入れて、円弧の矢印で示すような直方体クッション材１２をヒンジ１３で折り畳むようにして直方体クッション材１１の上に被せると、図５に示すように携帯用通信機本体７が直方体クッション材１１の凹部１１ａと直方体クッション材１２の凹部１２ａの中に入った状態で梱包材１０の中に固定される。
【０００４】
図５に示すオプション部品８、８と取扱説明書９は直方体クッション材１２を被せるときに適宜隙間の間に挿入される。このように携帯用通信機本体７とオプション部品８、８および取扱説明書９が挟み込まれた状態に折り畳まれた梱包材１０が図６に矢印で示すようにダンボール箱１４に差し込まれダンボール箱１４の蓋を閉じることにより梱包が完了する。
【０００５】
上記した図４〜図６に示す従来の携帯用通信機の梱包材は、オプション部品を挿入するためのスペースを設けているが、機種毎にオプション部品が異なる場合に多くの機種に対応させるためにはオプション部品用スペースを大きくする必要があり、オプション部品が梱包された状態で動きやすかった。
【０００６】
また、取扱説明書を２冊以上入れるときは、梱包時に取扱説明書同士が擦れる等の問題があり、梱包材の上下に取扱説明書を入れると、取り出すときに取扱説明書が落ちてしまい、取扱説明書を紛失する恐れがあった。さらに、オプション部品挿入時のイメージまたは、オプション部品を取り出すときのイメージにおいて高級感が損なわれていた。
【０００７】
特開２００５−９６８３３号公報に提案されたダンボール梱包の緩衝材構造では、製品の両端を折り畳まれたダンボールシートの穴に差し込んだ状態で、ダンボール箱に挿入する。
【０００８】
このダンボール梱包の緩衝材構造によると、折り畳まれたダンボールシートの穴に差し込まれた製品をダンボール箱に入れるときに、ダンボールシートが外れないように押さえていなければならず、梱包作業に手間がかかっていた。
【０００９】
また、オプション部品等をダンボール箱に製品と共に梱包する場合には、オプション部品があばれないようにするために、別に詰め物を必要とした。さらに、オプション部品挿入時のイメージまたは、オプション部品を取り出すときののイメージにおいて高級感が損なわれていた。
【特許文献１】特開２００５−９６８３３号公報、段落００１６〜段落００２３、図２
【発明の開示】
【発明が解決しようとする課題】
【００１０】
この発明は上記した点に鑑みてなされたものであって、その目的とするところは、多くの機種の電子機器に対応でき、オプション部品を取り出すときのイメージにおいて高級感が得られる電子機器の梱包材を提供することにある。
【課題を解決するための手段】
【００１１】
この発明の電子機器の梱包材は、電子機器本体とオプション部品または取扱説明書とを収納し、ダンボール箱に挿入して梱包する電子機器の梱包材において、前記梱包材は、前記梱包材の中央に位置する第１の直方体クッション材と、前記第１の直方体クッション材とヒンジを介して連なり、前記第１の直方体クッション材の上に折り畳まれる第２の直方体クッション材と、前記第１の直方体クッション材に対して前記第２の直方体クッション材と対向する位置で前記第１の直方体クッション材とヒンジを介して連なり、前記第２の直方体クッション材が前記第１の直方体クッション材の上に折り畳まれた後に、前記第１の直方体クッション材および折り畳まれた前記第２の直方体クッション材の上に折り畳まれる第３の直方体クッション材と、を備え、前記第１の直方体クッション材は、前記第１の直方体クッション材の上部に第１のオプション部品または取扱説明書を配置する第１の凹部を備え、前記第２の直方体クッション材は、前記第１の直方体クッション材の上に折り畳まれたときに上部となる位置に電子機器本体を配置する第２の凹部を備え、前記オプション部品または取扱説明書が前記第１の凹部に配置され、前記電子機器本体が前記第２の凹部に配置された状態で前記第１乃至第３の直方体クッション材がダンボール箱内に挿入されるものである。
【００１２】
また、前記電子機器の梱包材において、前記第３の直方体クッション材は、
前記第１の直方体クッション材および折り畳まれた前記第２の直方体クッション材の上に折り畳まれたときに上部となる位置に第２のオプション部品または取扱説明書を配置する第３の凹部を備えるものである。
【発明の効果】
【００１３】
この発明の電子機器の梱包材によれば、多くの機種の電子機器に対応でき、オプション部品を取り出すときのイメージにおいて高級感が得られる。
【発明を実施するための最良の形態】
【００１４】
以下この発明を実施するための最良の形態を実施例に即して説明する。図１はこの発明の実施例である梱包材を示す斜視図、図２は同梱包材の使用状態の一部部材を除いて示す斜視図、図３は同梱包材の使用状態を示す斜視図である。
【００１５】
図１に示すに示すＰＰ（ポリプレンシート）製の梱包材１は凸部２Ａ、２Ｂ…および凹部２ａ、２ｂ…が形成された直方体クッション材２、凸部３Ａ、３Ｂ、３Ｃ…および凹部３ａ、３ｂ…が形成された直方体クッション材３および凸部４Ａ、４Ｂ、４Ｃ…および凹部４ａ、４ｂ、４ｃ…が形成された直方体クッション材４が夫々ヒンジ５およびヒンジ６で一体となるように連結されて形成されている。
【００１６】
上記直方体クッション材２の凹部２ｂに取扱説明書が入れられた状態で、直方体クッション材３をヒンジ５で折り畳むようにして直方体クッション材２の上に被せる。このとき、直方体クッション材２の凹部２ａに直方体クッション材３の凸部３Ａが嵌合して折り畳まれた状態が保たれる。
【００１７】
その状態で図２（直方体クッション材４およびヒンジ６の図示を省略している）に示す示すように、直方体クッション材３の図１での裏面側に形成されている凹部に携帯用通信機本体７およびオプション部品８、８…を入れる。
【００１８】
その後、直方体クッション材３の上に直方体クッション材４をヒンジ６で折り畳むようにして直方体クッション材３の上に被せる。このとき、直方体クッション材３の凸部３Ｂ裏側の凹部に直方体クッション材４の凸部４Ｂが嵌合して折り畳まれた状態が保たれる。その状態が図３に示されている。取扱説明書が２冊あるときは、図３に示すように折り畳まれた状態の直方体クッション材４の凸部４Ｄ、４Ｅ、４Ｆおよび４Ｇの間にもう１つの取扱説明書を入れる。
【００１９】
このように携帯用通信機本体７とオプション部品８、８および取扱説明書を保持した梱包材１は従来例と同様にダンボール箱に差し込まれダンボール箱の蓋を閉じることにより梱包が完了する。
【００２０】
このように実施例の梱包材は、取扱説明書が１冊または２冊ある場合や多くのオプション部品が付属する多くの機種の電子機器に対応でき、オプション部品を取り出すときのイメージにおいて高級感が得られる。
【００２１】
実施例は以上のように構成されているが発明はこれに限られず、例えば、折り畳み状態を保持するための凹部および凸部は１か所に重なる位置に設けてもよい。このようにすることにより省スペース化が図られる。
【図面の簡単な説明】
【００２２】
【図１】この発明の実施例である梱包材を示す斜視図である。
【図２】同梱包材の使用状態の一部部材を除いて示す斜視図である。
【図３】同梱包材の使用状態を示す斜視図である。
【図４】従来の梱包材を示す斜視図である。
【図５】同梱包材の使用状態を示す斜視図である。
【図６】同梱包材の使用状態を示す斜視図である。
【符号の説明】
【００２３】
１  梱包材
２  直方体クッション材、２Ａ、２Ｂ  凸部、２ａ、２ｂ、２ｃ  凹部
３  直方体クッション材、３Ａ、３Ｂ、３Ｃ、３Ｄ  凸部、３ａ、３ｂ  凹部
４  直方体クッション材、４Ａ、４Ｂ、４Ｃ、４Ｄ、４Ｅ、４Ｆ、４Ｇ  凸部、４ａ、４ｂ、４ｃ  凹部
５  ヒンジ
６  ヒンジ
７  携帯用通信機本体
８  オプション部品
９  取扱説明書
１０  梱包材
１１  直方体クッション材
１２  直方体クッション材
１３  ヒンジ
１４  ダンボール箱
【図１】
0005200514.tif 000002
【図２】
0005200514.tif 000003
【図３】
0005200514.tif 000004
【図４】
0005200514.tif 000005
【図５】
0005200514.tif 000006
【図６】
0005200514.tif 000007